(57)【要約】【課題】漏光を防止し、ズームレンズ鏡筒の小型化とコスト低減を可能とするレンズバリア駆動機構を提供すること。【解決手段】撮影位置の方向から収納位置の方向に向かって、レンズバリア装置１４Ａ、そのレンズバリア装置１４Ａが取り付けられるとともに第１レンズを保持する第１レンズ保持筒１４、第１レンズ保持筒１４と結合して、第１レンズ保持筒１４を撮影位置の方向および収納位置の方向に直進移動させる直進案内環１３、第２レンズを保持する第２レンズ保持筒１２の順で配置され、直進案内環１３に設けた駆動杆ガイド１９と、第１レンズ保持筒１４に設けられ、第１レンズ保持筒１４が撮影位置の方向から収納位置の方向に移動した際に、駆動杆ガイド１９に接触して、レンズバリアを駆動する回転方向の動力を得るための駆動杆２２とを備えたレンズバリア駆動機構とすること。【選択図】  図１
2004170775.tif 000002
【特許請求の範囲】
【請求項１】
ズームレンズ鏡筒内のレンズバリアを駆動するレンズバリア駆動機構であって、上記撮影位置の方向から上記収納位置の方向に向かって、レンズバリア装置、そのレンズバリア装置が取り付けられるとともに第１レンズを保持する第１レンズ保持筒、上記第１レンズ保持筒と結合して、上記第１レンズ保持筒を上記撮影位置の方向および上記収納位置の方向に直進移動させる直進案内環、第２レンズを保持する第２レンズ保持筒の順で配置され、
上記直進案内環に設けた駆動杆ガイドと、
上記第１レンズ保持筒に設けられ、上記第１レンズ保持筒が上記撮影位置の方向から上記収納位置の方向に移動した際に、上記駆動杆ガイドに接触して、上記レンズバリアを駆動する回転方向の動力を得るための駆動杆と、
を備えたことを特徴とするレンズバリア駆動機構。
【請求項２】
前記駆動杆ガイドは、前記直進案内環の内壁に設けられ、前記駆動杆は、前記第１レンズ保持筒の内側に設けられていることを特徴とする請求項１記載のレンズバリア駆動機構。
【発明の詳細な説明】
【０００１】
【発明の属する技術分野】
本発明は、撮影位置と収納位置との間で回転しながら移動可能なズームレンズ鏡筒内のレンズバリアを駆動するレンズバリア駆動機構に関する。
【０００２】
【従来の技術】
図７は、従来のレンズバリア駆動機構を有するズームレンズ鏡筒の分解斜視図（Ａ）と、（Ａ）に示すズームレンズ鏡筒のカメラ本体方向から２番目、３番目および４番目の部材を組み立てた組立体を示す斜視図（Ｂ）と、（Ａ）に示すズームレンズ鏡筒を収納した状態を示す斜視図（Ｃ）である。また、図８は、図７（Ｃ）に示す収納状態の断面図（Ａ）と、当該断面図（Ａ）の状態から９０度回転した状態の断面図（Ｂ）とを示す図である。両図における一点鎖線は、ズームレンズ鏡筒１００の回転軸である。
【０００３】
図７に示すように、従来のズームレンズ鏡筒１００は、収納位置の方向から撮影位置の方向に向かって、基板１０１、第２レンズ保持筒１０２、第１レンズ保持筒１０３、直進案内環１０４、カム環１０５、カム筒１０６の順に組み合わされた構造を有している。基板１０１には、その基板面に略垂直な板状の駆動杆１１１が設けられている。第２レンズ保持筒１０２は、その中央に取り付けられた第２レンズ１０８の横に、駆動杆１１１を貫通可能な貫通孔１０９を有している。また、第２レンズ保持筒１０２の円筒外側面には、３方向に突出するカムフォロア１１０が設けられている。
【０００４】
第１レンズ保持筒１０３の撮影位置の側には、第１レンズの前面（撮影位置の側の面）を覆う閉鎖位置と覆わない開放位置とに変位するレンズバリアを駆動するレンズバリア装置１０３Ａが、第１レンズ保持筒１０３に一体的に取り付けられている。このレンズバリア装置１０３Ａは、第１レンズ保持筒１０３の略円周方向に動くことができる駆動杆１１１を有している。この駆動杆１１１が第１レンズ保持筒１０３の略円周方向に動くことにより、レンズバリア装置１０３Ａは、レンズバリアの開閉動作を行う。第１レンズ保持筒１０３には、駆動杆１１１が第１レンズ保持筒１０３の略円周方向に動くことができる形状を呈した貫通孔１０３Ｂが形成されている。
【０００５】
また、第１レンズ保持筒１０３の円筒外側面には、３方向に突出するカムフォロア１１２が設けられている。また、直進案内環１０４の側面には、カムフォロア１１０，１１２が貫通可能であって、収納位置および撮影位置の双方向にカムフォロア１１０，１１２を移動できる３本の長溝１１３が設けられている。
【０００６】
なお、直進案内環１０４における撮影位置の方向の前端縁には突起１０４Ａが設けられ、収納位置の側にはフランジ部１０４Ｂが設けられている。カム環１０５は、突起１０４Ａとフランジ部１０４Ｂとの間に挟まれて配置されている。
【０００７】
カム環１０５は、図示されていないモータの動力を受けて、回転できる構造を有している。カム環１０５には、その外壁にカムフォロア１０５Ａが備えられている。カムフォロア１０５Ａは、カム筒１０６の内壁に形成された図示されないカム溝に係合している。したがって、カム環１０５がモータの動力を受けて回転すると、カム筒１０６は、カムフォロア１０５Ａとカム筒１０６の内壁に形成されたカム溝との作用により、モータの回転方向に応じて、撮影位置と収納位置の方向に移動する。
【０００８】
また、カム環１０５の内壁には、カムフォロア１１０が係合する図示されないカム溝と、カムフォロア１１２が係合する同じく図示されないカム溝という２種類のカム溝が形成されている。カムフォロア１１０，１１２は、長溝１１３を貫通して、それぞれ対応するカム溝に係合している。また、直進案内筒１０４のフランジ部１０４Ｂの外周縁には、突起１０４Ｃが設けられている。この突起１０４Ｃは、カム筒１０６の内壁に形成された直進溝１０６Ａに係合している。このため、直進案内環１０４は、カム環１０５の回転に引きづられて回転することはない。
【０００９】
したがって、カム環１０５がモータの動力を受けて回転すると、この回転方向に応じて、第１レンズ保持筒１０３は、カムフォロア１１２とカム環１０５に形成されたカム溝の作用を受けて、長溝１１３に沿って光軸方向に沿って移動可能である。また、第２レンズ保持筒１０２も、カムフォロア１１０とカム環１０５に形成されたカム溝の作用を受けて、長溝１１３に沿って光軸方向に沿って移動可能である。
【００１０】
撮影位置の方向にズームレンズ鏡筒１００を移動させるには、まず、カム環１０５を回転させる。カム環１０５が回転すると、カム環１０５自身が、カムフォロア１０５Ａとカム筒１０６側のカム溝の作用により、撮影位置の方向に移動する。この際、直進案内環１０４も、カム環１０５を突起１０４Ａとフランジ部１０４Ｂにより挟んでいるため、カム環１０５と共に移動する。第１レンズ保持筒１０３と第２レンズ保持筒１０２も、カム環１０５に保持されているため、カム環１０５と共に移動する。
【００１１】
また、カム環１０５が回転すると、第１レンズ保持筒１０３は、カムフォロア１１２とこれに係合するカム環１０５に形成されたカム溝の作用を受けて、また、第２レンズ保持筒１０２は、カムフォロア１１０とこれに係合するカム環１０５に形成されたカム溝の作用を受けて、それぞれ撮影位置の方向に移動する。つまり、第１レンズ保持筒１０３は、カム環１０５が回転すると、カム環１０５のカム筒１０６に対する移動に、カムフォロア１１２とカム環１０５に形成されたカム溝の作用によるカム環１０５に対する移動が加わって、撮影位置の方向に移動する。
【００１２】
また、第２レンズ保持筒１０２も、カム環１０５が回転すると、カム環１０５のカム筒１０６に対する移動に、カムフォロア１１０とカム環１０５に形成されたカム溝の作用によるカム環１０５に対する移動が加わって、撮影位置の方向に移動する。第１レンズ保持筒１０３が撮影位置の方向に移動すると、駆動杆１１１も撮影位置の方向、すなわち駆動杆ガイド１０７から離れる方向に移動する。駆動杆１１１の収納位置の方向の端縁１１１Ａと、駆動杆ガイド１０７の撮影位置の方向の端縁１０７Ａとは、互いに向かい合う傾斜面となっている。また、駆動杆１１１は、端縁１１１Ａが端縁１０７Ａに当接する方向に、図示されないコイルバネなどの付勢手段により常時付勢されている。
【００１３】
したがって、駆動杆１１１が駆動杆ガイド１０７から離れる方向に移動すると、駆動杆１１１は、端縁１１１Ａを端縁１０７Ａにガイドされながら付勢手段の付勢方向に移動する。この駆動杆１１１の付勢手段の付勢方向への移動を受けて、レンズバリア装置１０３Ａは、レンズバリアが開放位置に変位するように駆動される。
【００１４】
一方、収納位置の方向にズームレンズ鏡筒１００を移動させる際には、カム環１０５を逆回転する。そうすると、カム筒１０６、第１レンズ保持筒１０３および第２レンズ保持筒１０２は、上述したカム環１０５の回転による撮影方向の位置への移動とは逆の作用を受けて、それぞれ収納位置の側に移動する。そして、第１レンズ保持筒１０３が収納位置の方向に移動すると、駆動杆１１１も駆動杆ガイド１０７に当接する方向に移動する。そうすると、駆動杆１１１は、端縁１１１Ａが端縁１０７Ａのガイドを受けて付勢手段の付勢力に抗する方向に移動する。この駆動杆１１１の付勢手段の付勢力に抗する方向への移動を受けて、レンズバリア装置１０３Ａは、レンズバリアが閉鎖位置に変位するように駆動される。また、特許文献１に開示されているレンズバリア駆動機構も、従来のレンズバリア駆動機構として、知られている。
【００１５】
【特許文献１】
特開平７−０２８１３０号公報
【００１６】
【発明が解決しようとする課題】
しかし、上記の従来のレンズバリア駆動機構には、次のような問題がある。従来の機構では、基板１０１に駆動杆ガイド１０７を配置し、第１レンズ保持筒１０３に駆動杆１１１を配置している。このため、基板１０１と第１レンズ保持筒１０３の間に配置される第２レンズ保持筒１０２に、駆動杆ガイド１０７を貫通させるための貫通孔１０９を設けなければならず、貫通孔１０９からカメラ本体に光が侵入しやすいという漏光問題がある。
【００１７】
また、第１レンズ保持筒１０３に駆動杆１１１を配置しているために、ズームレンズ鏡筒１００の収納時に駆動杆１１１が邪魔になる。このため、収納しても駆動杆１１１が邪魔にならないようにスペースを確保する必要から、ズームレンズ鏡筒１００の小型化が難しくなるという問題もある。
【００１８】
本発明は、以上の問題に鑑みてなされたものであり、漏光を防止し、ズームレンズ鏡筒の小型化とコスト低減を可能とするレンズバリア駆動機構を提供することを目的とする。
【００１９】
【課題を解決するための手段】
上記目的を達成するため、本発明は、ズームレンズ鏡筒内のレンズバリアを駆動するレンズバリア駆動機構であって、撮影位置の方向から収納位置の方向に向かって、レンズバリア装置、そのレンズバリア装置が取り付けられるとともに第１レンズを保持する第１レンズ保持筒、第１レンズ保持筒と結合して、第１レンズ保持筒を撮影位置の方向および収納位置の方向に直進移動させる直進案内環、第２レンズを保持する第２レンズ保持筒の順で配置され、直進案内環に設けた駆動杆ガイドと、第１レンズ保持筒に設けられ、第１レンズ保持筒が撮影位置の方向から収納位置の方向に移動した際に、駆動杆ガイドに接触して、レンズバリアを駆動する回転方向の動力を得るための駆動杆とを備えたレンズバリア駆動機構としている。このため、カメラ本体への光の侵入を防止しつつ、第１レンズ保持筒と第２レンズ保持筒との距離の長大化を防止できる。さらに、駆動杆ガイドと直進案内環とを一体成形できるので、特別に駆動リブを取り付ける工程がなく、ズームレンズ鏡筒の製造上、コスト低減を図ることもできる。
【００２０】
また、別の本発明は、前記発明において、駆動杆ガイドを直進案内環の内壁に設け、駆動杆を第１レンズ保持筒の内側に設けたレンズバリア駆動機構としている。このため、第１レンズ保持筒、直進案内環、および第２レンズ保持筒からなる組立体を、さらにコンパクトにすることができる。
【００２１】
【発明の実施の形態】
以下、本発明の実施の形態について、図面を用いて説明する。
【００２２】
図１は、本発明のレンズバリア駆動機構を有するズームレンズ鏡筒の分解斜視図（Ａ）と、（Ａ）に示すズームレンズ鏡筒の収納状態を示す斜視図（Ｂ）とを示す図である。また、図２は、図１（Ａ）に示すズームレンズ鏡筒のカメラ本体方向から２番目、３番目および４番目の部材を組み立てた組立体の収納状態の斜視図（Ａ）と、（Ａ）に示す組立体の撮影時の状態の斜視図（Ｂ）である。両図における一点鎖線は、ズームレンズ鏡筒の回転軸である。以後、他の図における一点鎖線も同様である。
【００２３】
図１（Ａ）に示すように、本発明のレンズバリア駆動機構を有するズームレンズ鏡筒１は、収納位置の方向（カメラ本体方向）から撮影位置の方向（被写体方向）に向かって、基板１１、第２レンズ保持筒１２、直進案内環１３、第１レンズ保持筒１４、カム環１５、カム筒１６の順に組み合わされた構造を有している。基板１１とカム筒１６とは、図示されないカメラ本体に固定されており、非撮影状態において、図１（Ｂ）に示す状態となっている。
【００２４】
基板１１は、カメラ本体に取り付けられる部材である。第２レンズ保持筒１２は、第２レンズを中央に備えた円筒部材であり、その円筒外側面に約１２０度間隔で、外方向に突出する３個のカムフォロア１７を備えている。第２レンズ保持筒１２の撮影位置の方向には、直進案内環１３が配置されている。直進案内環１３は、第２レンズ保持筒１２をその内部に挿入する略円筒形状を有し、第２レンズ保持筒１２および第１レンズ保持筒１４を撮影位置および収納位置の双方向に直進させる機能を持つ部材である。
【００２５】
直進案内環１３の側面には、３個のカムフォロア１７をそれぞれ貫通可能な３本のガイド溝１８が設けられている。また、直進案内環１３の撮影位置の方向寄りの内側面には、略三角形状の駆動杆ガイド１９が設けられている。この駆動杆ガイド１９は、直進案内環１３にあって、レンズバリアの開閉駆動の機能を有する。
【００２６】
直進案内環１３の撮影位置の方向には、第１レンズ保持筒１４が配置されている。第１レンズ保持筒１４は、第１レンズを中央に備えた略円筒部材であり、その円筒外側面に約１２０度間隔で、外方向に突出する３個のカムフォロア２０を備えている。また、第１レンズ保持筒１４の円筒内壁面には、約１２０度間隔で、内方に突出する３本の内方リブ２１が備えられている。内方リブ２１は、第１レンズ保持筒１４と一体成形で設けられたリブである。内方リブ２１は、第１レンズ保持筒１４の撮影位置の方向から収納位置の方向まで略同一幅で形成されている。内方リブ２１は、直進案内環１３のガイド溝１８にはまり込み、第１レンズ保持筒１４が直進案内環１３に対して回転せずに撮影位置および収納位置の両方向にのみ直進するための役割を果たしている。
【００２７】
なお、直進案内環１３の収納位置の側に設けられているフランジ部１３Ａの前面（撮影位置の方向側の面）には、カム環１５の収納位置の側の端縁に設けられているフランジ部１５Ｂを撮影位置の方向で係止する３つのフック部１３Ｂが、回転軸の周りに約１２０度の間隔で設けられている。つまり、カム環１５のフランジ部１５Ｂは、直進案内環１３のフランジ部１３Ａとフック部１３Ｂとの間に挟まれた状態となっている。
【００２８】
第１レンズ保持筒１４の撮影位置の側には、レンズバリア装置１４Ａが、第１レンズ保持筒１４に一体的に取り付けられている。このレンズバリア装置１４Ａは、図示していないレンズバリアを第１レンズの前面（撮影位置側の面）を覆う閉鎖位置と覆わない開放位置とに変位させる機能を有する。レンズバリアが開放位置にあるときには、レンズバリアは、第１レンズの前面から退避し、第１レンズは被写体に対して開放されている。このレンズバリア装置１４Ａには、収納位置の方向に伸びる板状の駆動杆２２が設けられている。第１レンズ保持筒１４の第１レンズを保持している面には、駆動杆２２が撮影位置の方向から収納位置の方向に通されている。駆動杆動作用孔２３は、その通された状態で、駆動杆２２が周方向に移動できる形状になっている。駆動杆２２は、レンズバリアを開閉動作する際に、駆動杆動作用孔２３内を周方向に移動する。
【００２９】
カム環１５の内壁には、カムフォロア１７に作用するカム溝２４とカムフォロア２０に作用するカム溝２５が設けられている。カム環１５が回転すると、第１レンズ保持筒１４がカムフォロア２０とカム溝２５の作用を受けて、また、第２レンズ保持筒１２がカムフォロア１７とカム溝２４の作用を受けて、それぞれ撮影位置および収納位置の両方向に移動する。また、カム環１５の外壁には、外方向に突出する３個のカムフォロア１５Ａが、回転軸の周りに１２０度の間隔で設けられている。さらに、このカム環１５が内部に挿入されるカム筒１６の内壁には、カムフォロア１５Ａに作用するカム溝１６Ａが形成されている。
【００３０】
カム環１５は、図示されていないモータの駆動力を受けて、回転できる構造を有している。撮影位置の方向にズームレンズ鏡筒１を移動させる際には、まず、図示されていないモータの動力を受けて、カム環１５が回転する。すると、カム溝１６Ａとカムフォロア１５Ａの作用により、カム筒１６が撮影位置の方向へと移動する。前述のように、カムフォロア２０は、カム溝２５に、また、カムフォロア１７は、カム溝２５に、それぞれ係合している。このため、第１レンズ保持筒１４および第２レンズ保持筒１２は、カム環１５の撮影位置の方向への移動に連れて移動する。また、カム環１５はフランジ部１３Ａとフック部１３Ｂにより挟まれているため、直進案内環１３は、カム環１５と共に移動する。
【００３１】
なお、フランジ部１３Ａの外周に回転軸の周りに約１２０度の間隔で形成された突起１３Ｃは、カム筒１６の直進溝１６Ｂに係合している。このため、直進案内環１３は、カム環１５の回転に引きづられて回転しない。以上のように、カム環１５が回転すると、カム筒１６、第１レンズ保持筒１４、第２レンズ保持筒１２および直進案内環１３は、撮影位置の方向へと移動する。
【００３２】
一方、収納位置の方向にズームレンズ鏡筒１を移動させる際には、カム環１５が上述の方向と逆方向に回転する。すると、カム筒１６、第１レンズ保持筒１４、第２レンズ保持筒１２、直進案内環１３は、それぞれ上述の撮影位置の方向と逆の方向に移動し、ズームレンズ鏡筒１は、収納位置の方向に移動する。
【００３３】
次に、レンズバリア機構について、詳細に説明する。
【００３４】
図３は、図１（Ｂ）に示すズームレンズ鏡筒１の断面図（Ａ）と、当該断面図（Ａ）の状態から９０度回転した状態の断面図（Ｂ）とを示す図である。図３の左側は撮影位置の方向であり、同図の右側は収納位置の方向である。
【００３５】
図３（Ｂ）に示すように、駆動杆２２は、傾斜面を有する端縁２２Ａを備えている。また、駆動杆ガイド１９は、端縁２２Ａと略同角度で接触可能な傾斜面を有する端縁１９Ａを備えている。端縁２２Ａと端縁１９Ａとは、互いに向かい合う傾斜面を形成している。第１レンズ保持筒１４が収納位置の方向に移動すると、駆動杆２２も収納位置、すなわち、駆動杆ガイド１９の側に移動する。また、駆動杆２２は、端縁２２Ａが端縁１９Ａに当接する方向に、図示されないコイルバネなどの付勢手段により常時付勢されている。
【００３６】
したがって、駆動杆２２が駆動杆ガイド１９の側に移動すると、駆動杆２２は、上述の付勢手段の付勢力に抗する方向に移動する。この駆動杆２２の付勢手段の付勢力に抗する方向への移動を受けて、レンズバリア装置１４Ａは、レンズバリアが閉鎖位置に変位するように駆動される。駆動杆動作用孔２３は、駆動杆２２の移動を許容するように形成されている。
【００３７】
一方、第１レンズ保持筒１４が撮影位置の方向に移動すると、駆動杆２２も撮影位置の方向、すなわち、駆動杆ガイド１９から離れる方向に移動する。そうすると、駆動杆２２は、端縁２２Ａを端縁１９Ａにガイドされながら付勢手段の付勢方向に移動する。この駆動杆２２の付勢手段の付勢方向への移動を受けて、レンズバリア装置１４Ａは、レンズバリアが開放位置に変位するように駆動される。
【００３８】
このように、レンズバリアを開閉するために、第１レンズ保持筒１４に駆動杆２２が、直進案内環１３に駆動杆ガイド１９が、それぞれ設けられている。このため、ズームレンズ鏡筒１の収納時に、駆動杆２２は、第２レンズ保持筒１２にぶつからない。したがって、ズームレンズ鏡筒１の小型化が容易となる。また、第２レンズ保持筒１２に孔をあけていないので、カメラ本体に光が侵入するという漏光問題は生じない。
【００３９】
次に、第１レンズ保持筒１４の直進機構について、詳細に説明する。
【００４０】
図４は、ズームレンズ鏡筒１の断面図である。（Ａ）は、ズームレンズ鏡筒１を撮影位置の方向に伸ばした状態を、（Ｂ）はズームレンズ鏡筒１を収納した状態を示す。図４の左側は撮影位置の方向であり、同図の右側は収納位置の方向である。また、図５は、図４（Ａ）の矢印Ｘの方向から、直進案内環１３と第１レンズ保持筒１４との境界部分を拡大して見た図である。
【００４１】
図１に示したように、内方リブ２１は、第１レンズ保持筒１４の円筒内壁に一体的に設けられており、ズームレンズ鏡筒１の伸縮に応じて、撮影位置の方向および収納位置の方向の両方向（図５に示す両矢印Ｐの方向）にガイド溝１８を移動する。
【００４２】
内方リブ２１の幅は、ガイド溝１８の幅と略同一である。また、３つの内方リブ２１は、略１２０度間隔で３つのガイド溝１８にそれぞれはまっている。このため、第１レンズ保持筒１４は、直進案内環１３に対して回転することを防止する回転止めとしての役割を有する。このように、第１レンズ保持筒１４に金属製のリブを取り付けていないので、スームレンズ鏡筒１の低コスト化を図ることが出来る。
【００４３】
図６は、第１レンズ保持筒１４を示す図であり、（Ａ）は図１に示した第１レンズ保持筒１４を抜き出して示す図であり、（Ｂ）は（Ａ）の矢印Ｙ方向から内方リブ２１を拡大して見た図である。図６（Ｂ）に示すように、内方リブ２１の幅Ｔ１は、撮影位置の方向（＝紙面に対して奥行きに向かう方向）から収納位置の方向（＝紙面に対して表方向に向かう方向）に向かって、略同一の大きさである。
【００４４】
また、内方リブ２１の厚さＴ２（＝第１レンズ保持筒１４の円筒内壁面から内方リブ２１の最頂部までの距離）も、撮影位置の方向から収納位置の方向に向かって、略同一の大きさである。このため、金型成形後に、収納位置の方向に向かって金型を抜くことが容易となり、内部スライドを可能とする特別な金型を要しない。したがって、特殊な金型を使用しなくて済むという点でも、スームレンズ鏡筒１の低コスト化を図ることが出来る。
【００４５】
ただし、幅Ｔ１および厚さＴ２は、必ずしも撮影位置の方向から収納位置の方向に向かって、それぞれ同一の大きさである必要はない。例えば、幅Ｔ１は、撮影位置の方向から収納位置の方向に向かって、徐々に小さくなっても良い。ただし、幅Ｔ１の大きさの変化が大きいと、ガイド溝１８に対するガタつきが大きくなり、第１レンズ保持筒の直進性が損なわれるおそれがある。したがって、幅Ｔ１は、ガイド溝１８に対してガタ付きが生じない程度の大きさの変化であるにとどめるのが良い。また、厚さＴ２も、同様に、撮影位置の方向から収納位置の方向に向かって、徐々に小さくなっても良い。
【００４６】
なお、本発明は、上述の実施の形態に限定されず、種々変形を施した実施の形態を採用可能である。例えば、駆動杆２２を棒状のリブとし、端縁１９Ａを移動可能に構成しても良い。また、駆動杆ガイド１９を棒状のリブとして、端縁２２Ａを移動可能に構成しても良い。
【００４７】
また、ガイド溝１８を貫通孔とせずに、内方リブ２１をはめこみ可能な凹部としても良い。この場合、カムフォロア１７を貫通する溝を別途設ける必要があり、直進案内環１３の形状が複雑になる。したがって、ガイド溝１８を貫通孔として、内方リブ２１とカムフォロア１７を共にガイドする溝とする方が好ましい。また、
ガイド溝１８および内方リブ２１の数は３本に限定されず、２本以下あるいは４本以上の数であっても良い。
【００４８】
【発明の効果】
本発明によれば、漏光を防止し、ズームレンズ鏡筒の小型化とコスト低減を可能とするレンズバリア駆動機構を提供することができる。
【図面の簡単な説明】
【図１】本発明のレンズバリア駆動機構の実施の形態を有するズームレンズ鏡筒を示す図であり、（Ａ）はその分解斜視図であり、（Ｂ）はその収納状態を示す斜視図である。
【図２】図１（Ａ）に示すズームレンズ鏡筒のカメラ本体方向から２番目、３番目および４番目の部材を組み立てた組立体を示す図であり、（Ａ）はその収納状態の時の斜視図であり、（Ｂ）はその撮影状態の時の斜視図である。
【図３】図１（Ｂ）に示すズームレンズ鏡筒を示す図であり、（Ａ）はその断面図であり、（Ｂ）は（Ａ）の状態から９０度回転した状態の断面図である。
【図４】図１に示すズームレンズ鏡筒の断面図であり、（Ａ）は撮影位置の方向に伸ばした状態を示す図であり、（Ｂ）は収納した状態を示す図である。
【図５】図４（Ａ）の矢印Ｘの方向から、直進案内環と第１レンズ保持筒との境界部分を拡大して見た図である。
【図６】図１の第１レンズ保持筒を示す図であり、（Ａ）はその拡大図を、（Ｂ）は（Ａ）の矢印Ｙ方向から内方リブを拡大して見た図を、それぞれ示す図である。
【図７】従来のレンズバリア駆動機構を有するズームレンズ鏡筒を示す図で、（Ａ）はその分解斜視図を示す図であり、（Ｂ）はズームレンズ鏡筒のカメラ本体方向から２番目、３番目および４番目の部材を組み立てた状態を示す図であり、（Ｃ）は（Ａ）に示すズームレンズ鏡筒の収納状態を示す図である。
【図８】図７（Ｃ）に示すズームレンズ鏡筒を示す図であり、（Ａ）はその断面図であり、（Ｂ）は（Ａ）の状態から９０度回転した状態の断面図である。
【符号の説明】
１  ズームレンズ鏡筒
１２  第２レンズ保持筒
１３  直進案内環
１４  第１レンズ保持筒
１４Ａ  レンズバリア装置
１９  駆動杆ガイド
２２  駆動杆
【図１】
2004170775.tif 000003
【図２】
2004170775.tif 000004
【図３】
2004170775.tif 000005
【図４】
2004170775.tif 000006
【図５】
2004170775.tif 000007
【図６】
2004170775.tif 000008
【図７】
2004170775.tif 000009
【図８】
2004170775.tif 000010